(57)【要約】【課題】走査電極に印加される電圧の下降終了を判断するための電位（Ｖｓｅｔ２）を、安定的且つ任意に広い範囲で生成出力できるプラズマディスプレイ装置を提供する。【解決手段】プラズマディスプレイパネル１００の走査電極１２２に駆動電圧を印加する走査電極駆動部１１３を有し、走査電極駆動部１１３において、接地電位と最低電位との間に抵抗（Ｒ６２３）と定電圧部（Ｑ６１１）からなる直列回路を接続し、直列回路の抵抗と定電圧部との接続点から、走査電極１２２に印加される駆動電圧が下降から上昇に変化するタイミングを決定する電圧（Ｖｓｅｔ２）を出力するように構成する。また、定電圧部としてはシャントレギュレータ（Ｑ６１１）を使用する。【選択図】図５
2007218972.tif 000002
【特許請求の範囲】
【請求項１】
プラズマディスプレイパネルの走査電極に駆動電圧を印加する走査電極駆動部を有し、前記走査電極駆動部において、接地電位と最低電位との間に抵抗と定電圧部からなる直列回路を接続し、前記直列回路の抵抗と定電圧部との接続点から、走査電極に印加される駆動電圧が下降から上昇に変化するタイミングを決定する電圧を出力するように構成した
プラズマディスプレイ装置。
【請求項２】
前記定電圧部はシャントレギュレータで構成した請求項１に記載のプラズマディスプレイ装置。
【発明の詳細な説明】
【技術分野】
【０００１】
本発明は、プラズマディスプレイパネルを用いた画像表示装置であるプラズマディスプレイ装置に関するものである。
【背景技術】
【０００２】
プラズマディスプレイパネル（以下、「パネル」と略記する）は、大画面、薄型、軽量であることを特徴とする視認性に優れた表示デバイスである。このパネルを用いたプラズマディスプレイ装置が多く提案されている。
【０００３】
このような従来のプラズマディスプレイ装置に使われるパネルは、走査電極と維持電極と誘電体層と保護層とが形成された前面ガラス基板と、データ電極と絶縁体層と隔壁と蛍光体層とが形成された背面ガラス基板とを対向配置するとともに、周囲を封着してその間に放電ガスを封入し、放電空間を形成している。
【０００４】
走査電極、維持電極、データ電極には、それぞれの電極を駆動することによって放電空間で放電を起こし、画像を表示するための駆動信号が入力される。
【０００５】
図６に、従来のプラズマディスプレイ装置において、各電極に印加する駆動電圧波形を示す。
【０００６】
この従来のプラズマディスプレイ装置においては、画像に応じた階調を表示する方法として、いわゆるサブフィールド法を用いている。サブフィールド法は１フィールド期間を表示輝度の異なる複数のサブフィールドに分割し、これらのサブフィールドの組合せによって階調を表示する方法である。
【０００７】
各サブフィールドは、初期化期間、書込み期間、維持期間を有している。図６には２つのサブフィールド（第１サブフィールドと第２サブフィールド）に対する駆動電圧波形を示しているが、他のサブフィールドにおける駆動波形もほぼ同様である。
【０００８】
第１サブフィールドの初期化期間では、維持電極に０Ｖを印加する。同時に、走査電極には、電圧Ｖｓｕｓから電圧（Ｖｓｅｔ＋Ｖｓｕｓ）に向かって緩やかに上昇するランプ電圧を印加する。
【０００９】
次に、維持電極に電圧Ｖｅを印加するとともに、走査電極には、電圧Ｖｉ３から電圧Ｖｓｅｔ２に向かって緩やかに下降するランプ電圧を印加する。これによって、各放電セルにおいて微弱な初期化放電が発生し、続く書込み動作に必要な壁電荷が電極上に形成される。
【００１０】
走査電極に印加される電圧がＶｓｅｔ２になると電圧の下降は終わる。この走査電極に印加される電圧の下降終了を判断するための電位Ｖｓｅｔ２は、最低電圧Ｖａを基準として生成された１５Ｖ程度の制御電圧からシャントレギュレータによって生成していた。
【００１１】
このようなサブフィールド法によって初期化電圧を印加するプラズマディスプレイ装置の一例が、下記特許文献１に記載されている。
【特許文献１】特開２００１−２３６０３５号公報
【発明の開示】
【発明が解決しようとする課題】
【００１２】
しかしながら、上記のような従来のプラズマディスプレイ装置では、Ｖｓｅｔ２電圧が１５Ｖ近くまで上がってくると、その制御電圧を上げない限り、その制御電圧から安定したＶｓｅｔ２電圧を生成すること自体が困難になる。
【課題を解決するための手段】
【００１３】
本発明は、上記のような課題を解決するために行われたもので、そのために以下のような構成を採用する。
【００１４】
請求項１に記載のプラズマディスプレイ装置では、プラズマディスプレイパネルの走査電極に駆動電圧を印加する走査電極駆動部を有し、走査電極駆動部において、接地電位と最低電位との間に抵抗と定電圧部からなる直列回路を接続し、直列回路の抵抗と定電圧部との接続点から、走査電極に印加される駆動電圧が下降から上昇に変化するタイミングを決定する電圧を出力するように構成する。
【００１５】
このような構成を採ることによって、走査電極に印加される電圧の下降終了を判断するための電位Ｖｓｅｔ２を安定的に出力することが可能になる。
【００１６】
また、請求項２に記載の発明では、定電圧部をシャントレギュレータで構成する。
【００１７】
このような構成を採ることによって、シャントレギュレータに充分な電流を供給することができ、電位Ｖｓｅｔ２を安定的に出力することが可能になる。
【発明の効果】
【００１８】
本発明によれば、単純かつ簡易な構成で、走査電極に印加される電圧の下降終了を判断するための電位Ｖｓｅｔ２を安定的に出力できるプラズマディスプレイ装置を提供することが可能になる。
【発明を実施するための最良の形態】
【００１９】
以下、本発明の実施の形態におけるプラズマディスプレイ装置について、図面を用いて説明をする。
【００２０】
（実施の形態）
図１は、本発明の実施の形態におけるプラズマディスプレイ装置に用いるパネルの構造を示す分解斜視図である。パネル１００は、ガラス製の前面基板１２１と背面基板１３１とを対向配置して、その間に多数の放電セル１３６（図２参照）を形成するように構成されている。
【００２１】
前面基板１２１には、表示電極対を構成する走査電極１２２と維持電極１２３とが、互いに平行に対をなして複数形成されている。走査電極１２２と維持電極１２３とを覆うように誘電体層１２４が形成され、誘電体層１２４上には保護層１２５が形成されている。
【００２２】
背面基板１３１には、絶縁体層１３３で覆われた複数のデータ電極１３２が設けられ、絶縁体層１３３上に井桁状の隔壁１３４が設けられている。絶縁体層１３３の表面と隔壁１３４の側面には、赤青緑に発光する蛍光体が交互に塗布された蛍光体層１３５が設けられている。
【００２３】
走査電極１２２および維持電極１２３とデータ電極１３２とが交差するように、前面基板１２１と背面基板１３１とが対向配置されており、電極の交差するそれぞれの位置に放電セル１３６が形成される。放電セルには放電ガスとして、例えばネオンとキセノンの混合ガスが封入されている。
【００２４】
なお、パネル１００の構造は必ずしも上述したものに限られるわけではなく、例えば井桁状の隔壁１３４のかわりにストライプ状の隔壁を備えていても構わない。
【００２５】
図２は、本発明の実施の形態に用いるパネル１００の電極配列図である。行方向にｎ本の走査電極１２２（ＳＣＮ１〜ＳＣＮｎ）およびｎ本の維持電極１２３（ＳＵＳ１〜ＳＵＳｎ）が配列され、列方向にｍ本のデータ電極１３２（Ｄ１〜Ｄｍ）が配列されている。
【００２６】
そして、１対の走査電極１２２（ＳＣＮｉ）および維持電極１２３（ＳＵＳｉ）（ｉ＝１〜ｎ）と、１つのデータ電極１３２（Ｄｊ）（ｊ＝１〜ｍ）とが交差した部分に、放電セル１３６が形成され、放電セル１３６は放電空間内にｍ×ｎ個形成されている。
【００２７】
図３は、本発明の実施の形態におけるプラズマディスプレイ装置の、回路ブロック図である。このプラズマディスプレイ装置は、パネル１００、画像信号処理部１１７、データ電極駆動部１１２、走査電極駆動部１１３、維持電極駆動部１１４、タイミング発生部１１５、および各回路ブロックに必要な電源を供給する電源部（図示せず）、を備えている。
【００２８】
このプラズマディスプレイ装置は、その他の部分も多く備えているが、本発明の本質と直接関係しないものは、却って煩雑となって本質が不明確となるのを避けるため図示と説明を省略する。
【００２９】
画像信号処理部１１７は、画像信号ｓｉｇを、各放電セルのサブフィールド毎の発光・非発光を示す画像データに変換する。
【００３０】
データ電極駆動部１１２は、サブフィールド毎の画像データを、各データ電極１３２（Ｄ１〜Ｄｍ）に対応する信号に変換し、各データ電極１３２を駆動する。
【００３１】
走査電極駆動部１１３は、各走査電極１２２（ＳＣＮ１〜ＳＣＮｎ）に所定の駆動電圧波形を供給する。維持電極駆動部１１４は、各維持電極１２３（ＳＵＳ１〜ＳＵＳｎ）に所定の駆動電圧波形を供給する。
【００３２】
タイミング発生部１１５は、水平同期信号Ｈと垂直同期信号Ｖをもとにして、各電極駆動部が駆動電圧波形を制御するために必要な各種タイミング信号を発生し、各電極駆動部へ供給する。
【００３３】
図４に、本発明の実施の形態であるプラズマディスプレイ装置に使用されるパネル１００の、走査電極１２２に印加する駆動電圧波形を生成する走査電極駆動部１１３の概略回路図を示す。走査電極駆動部１１３は図４に示す以外の多くの部分を有しているが、本発明の本質と直接関係しないものは、却って煩雑となって本質が不明確となるのを避けるため図示と説明を省略する。
【００３４】
この走査電極駆動部１１３によって生成され、各電極に印加される駆動電圧波形は、従来のプラズマディスプレイ装置と同様であるから、従来例の波形を示す図６を使って説明をする。
【００３５】
このプラズマディスプレイ装置においては、画像に応じた階調を表示する方法として、いわゆるサブフィールド法を用いている。サブフィールド法は１フィールド期間を表示輝度の異なる複数のサブフィールドに分割し、これらのサブフィールドの組合せによって階調を表示する方法である。
【００３６】
各サブフィールドは、初期化期間、書込み期間、維持期間を有している。図６には２つのサブフィールド（第１サブフィールドと第２サブフィールド）に対する駆動電圧波形を示しているが、他のサブフィールドにおける駆動波形もほぼ同様である。
【００３７】
第１サブフィールドの初期化期間では、維持電極１２３（ＳＵＳ１〜ＳＵＳｎ）に０Ｖを印加する。同時に、走査電極１２２（ＳＣＮ１〜ＳＣＮｎ）には、電圧Ｖｓｕｓから電圧（Ｖｓｅｔ＋Ｖｓｕｓ）に向かって緩やかに上昇するランプ電圧を印加する。具体的には、コンデンサーＣ４１９にチャージされたＶｓｅｔ電圧に対し、スイッチ４１６のミラー積分回路を使って上りランプ波形を生成している。そのとき、維持パルス発生回路４１２の電源Ｖｓｕｓ側のＭＯＳスイッチがオンするので、Ｃ４１９には電源Ｖｓｕｓが重畳される。
【００３８】
これによって、電圧Ｖｓｕｓから電圧（Ｖｓｅｔ＋Ｖｓｕｓ）に向かって緩やかに上昇するランプ電圧を、走査電極１２２（ＳＣＮ１〜ＳＣＮｎ）に印加する。
【００３９】
次に、維持電極１２３（ＳＵＳ１〜ＳＵＳｎ）に電圧Ｖｅを印加するとともに、走査電極駆動部１１３のミラー積分回路４２６を用いて、電圧Ｖｉ３から電圧Ｖｉ４に向かって緩やかに下降するランプ電圧を、走査電極１２２（ＳＣＮ１〜ＳＣＮｎ）に印加する。これによって、各放電セル１３６において微弱な初期化放電が発生し、続く書込み動作に必要な壁電荷が各電極上に形成される。
【００４０】
なお、初期化期間の動作としては、図６の第２サブフィールドの初期化期間に示すように、走査電極１２２（ＳＣＮ１〜ＳＣＮｎ）に対して、電圧Ｖｉ３’から電圧Ｖｉ４に向かって緩やかに下降するランプ電圧を印加するだけの時もある。
【００４１】
次の書込み期間では、走査電極駆動部１１３の走査パルス発生回路４１３のスイッチ４２７とスイッチ４２８をオンにし、スイッチング回路４２２の両側の電位をＶａとＶａ＋Ｖｓｃｎに導く。
【００４２】
そして、スイッチング回路４２２の電位（Ｖｓｃｎ＋Ｖａ）側のＭＯＳスイッチはオン、基準電位Ａ側のＭＯＳスイッチはオフとなるように、走査制御回路４２３は制御する。これによって、各走査電極１２２（ＳＣＮ１〜ＳＣＮｎ）に電圧（Ｖｓｃｎ＋Ｖａ）が印加される。
【００４３】
次に、第１行目の走査電極１２２（ＳＣＮ１）に対応するスイッチング回路４２２の電位（Ｖｓｃｎ＋Ｖａ）側のＭＯＳスイッチをオフ、基準電位Ａ側のＭＯＳスイッチをオンに制御して、第１行目の走査電極１２２（ＳＣＮ１）に負の走査パルスＶａを印加する。このとき、発光するべき放電セル１３６に対応するデータ電極１３２に、データ電極駆動部１１２を用いて正の書込みパルスＶｄを印加する。
【００４４】
これによって、走査パルスＶａと書込みパルスＶｄとが同時に印加された第１行目の放電セル１３６では書込み放電が発生し、走査電極１２２（ＳＣＮ１）と維持電極１２３（ＳＵＳ１）に壁電荷を蓄積する書込み動作が行われる。
【００４５】
次に、第１行目の走査電極１２２（ＳＣＮ１）に対応するスイッチング回路４２２の電位（Ｖｓｃｎ＋Ｖａ）側のＭＯＳスイッチをオン、基準電位Ａ側のＭＯＳスイッチをオフに戻し、第２行目の走査電極１２２（ＳＣＮ２）に対応するスイッチング回路４２２の電位（Ｖｓｃｎ＋Ｖａ）側のＭＯＳスイッチはオフ、基準電位Ａ側のＭＯＳスイッチはオンとなるように制御して、第２行目の走査電極１２２（ＳＣＮ２）に負の走査パルスＶａを印加する。このとき、発光するべき放電セル１３６に対応するデータ電極１３２に、正の書込みパルスＶｄを印加する。
【００４６】
これによって、走査パルスＶａと書込みパルスＶｄとが同時に印加された第２行目の放電セル１３６では書込み放電が発生し、書込み動作が行われる。以上の書込み動作を、第ｎ行目の放電セル１３６に至るまで繰り返し実行し、発光すべき放電セル１３６に対して、選択的に書込み放電を発生させて、壁電荷を形成する。
【００４７】
次の維持期間では、まず、維持電極１２３に０Ｖを印加する。
【００４８】
それと同時に、スイッチ４１５とスイッチ４１７をオンにし、維持パルス発生回路４１２の出力を走査電極１２２（ＳＣＮ１〜ＳＣＮｎ）に導く。
【００４９】
そして、維持パルス発生回路４１２の電源Ｖｓｕｓ側のＭＯＳスイッチとＧＮＤ側のＭＯＳスイッチとを、必要に応じて交互にオンオフする。このようにして、走査電極１２２（ＳＣＮ１〜ＳＣＮｎ）に維持パルスを印加すると、書込み放電を起こした放電セル１３６では維持放電が起こり、発光する。
【００５０】
図５に、上記説明の初期化期間で、走査電極１２２（ＳＣＮ１〜ＳＣＮｎ）に電圧Ｖｉ３から電圧Ｖｉ４に向かって緩やかに下降するランプ電圧を印加した時、その電圧がＶｓｅｔ２に至ったことを判断して、電圧を反転上昇させるための基準電圧である電圧Ｖｓｅｔ２を作成するための回路図を示す。
【００５１】
この回路の目的は、電位がＶｓｅｔ２である電圧を安定的かつ正確に生成し出力することである。
【００５２】
そのために、定電圧部の１つの具体例であるシャントレギュレータＱ６１１を使用し、そのアノード端子を負の基準電位であるＶａに接続する。
【００５３】
シャントレギュレータＱ６１１のカソード端子は抵抗６２３を介してＧＮＤレベルに接続する。
【００５４】
負の基準電位であるＶａとシャントレギュレータＱ６１１のカソード端子との間を、抵抗Ｒ６２１とＲ６２２とで分割し、その中点をシャントレギュレータＱ６１１のレファレンス端子に入力する。
【００５５】
これによって、負の基準電位であるＶａとＧＮＤレベルとの間の電位であるＶｓｅｔ２を安定的に生成し出力することができる。
【００５６】
こうして生成した電位Ｖｓｅｔ２は、コンパレータＣＯＭＰ６３１の一方の入力端子に入力され、コンパレータＣＯＭＰ６３１のもう一方の入力端子には走査電極１２２の電位が入力される。
【００５７】
このコンパレータＣＯＭＰ６３１の出力によって、走査電極１２２の電位が電位Ｖｓｅｔ２まで低下したことを判断し、その出力をスイッチ４２７を反転させる回路に導く。これによって、走査電極１２２の電位を上昇に転じさせ、（Ｖａ＋Ｖｓｃｎ）の電位にすることができる。
【００５８】
このようにして、走査電極１２２の電圧がＶｓｅｔ２に至ったことを判断して、電圧を反転上昇させるための基準となる電位Ｖｓｅｔ２を安定的かつその電圧を任意に広い範囲で生成し出力することが可能になる。
【産業上の利用可能性】
【００５９】
本発明によれば、単純かつ簡易な構成で、走査電極に印加される電圧の下降終了を判断するための電位Ｖｓｅｔ２を安定的に且つ任意に広い範囲で生成し出力できるプラズマディスプレイ装置を提供することが可能になり、その産業上の利用可能性は極めて高い。
【図面の簡単な説明】
【００６０】
【図１】本発明の実施の形態であるプラズマディスプレイ装置に用いるパネルの構造を示す分解斜視図
【図２】本発明の実施の形態であるプラズマディスプレイ装置に用いるパネルの電極配列図
【図３】本発明の実施の形態であるプラズマディスプレイ装置の回路ブロック図
【図４】本発明の実施の形態であるプラズマディスプレイ装置の走査電極駆動部の概略回路図
【図５】本発明の実施の形態であるプラズマディスプレイ装置における基準電位Ｖｓｅｔ２生成回路の回路図
【図６】従来のプラズマディスプレイ装置におけるパネルの各電極に印加する駆動電圧波形を示す図
【符号の説明】
【００６１】
１００    パネル
１１２    データ電極駆動部
１１３    走査電極駆動部
１１４    維持電極駆動部
１１５    タイミング発生部
１１７    画像信号処理部
１２１    背面ガラス基板
１２２    走査電極
１２３    維持電極
１２４    誘電体層
１２５    保護層
１３１    背面ガラス基板
１３２    データ電極
１３３    絶縁体層
１３４    隔壁
１３５    蛍光体層
１３６    放電セル
４１２    維持パルス発生回路
４１３    走査パルス発生回路
４１５，４１７，４２７，４２８    スイッチ
４１６，４２６    ミラー積分回路
４２２    スイッチング回路
４２３    走査制御回路
【図１】
2007218972.tif 000003
【図２】
2007218972.tif 000004
【図３】
2007218972.tif 000005
【図４】
2007218972.tif 000006
【図５】
2007218972.tif 000007
【図６】
2007218972.tif 000008